(57)【要約】【課題】入浴者の頭髪や子供の入浴用玩具などが吸水口に吸引されず、入浴中は吸水口に覆設された吸水口カバーの離脱操作ができず、非常に安全であるというジェットバス装置を提供する。【解決手段】浴槽１６と循環ポンプＰとの間に浴槽内の湯水Ｈを循環する流路を介設し、浴槽内の湯水Ｈを循環ポンプＰによって、浴槽内に設けられた吸水口Ａから吸引し、浴槽内に設けられた噴流口Ｇから噴出するジェットバス装置１において、入浴者の頭髪が吸引されないように、吸水口Ａの吸引力を所定値以下に低減する大きさに吸水口カバー２を形成し、自身の浮力を利用して、浴槽１６の水位の上昇で浴槽壁Ｗ２に着設された吸水口カバー２を浴槽壁Ｗ２から離脱不能にする浮き具６を吸水口カバー２の内部に設ける。【選択図】        図１７
2004305399.tif 000002
【特許請求の範囲】
【請求項１】
浴槽と循環ポンプとの間に浴槽内の湯水を循環する流路を介設し、浴槽内の湯水を循環ポンプによって、浴槽内に設けられた吸水口から吸引し、浴槽内に設けられた噴流口から噴出するジェットバス装置であって、吸水口に覆設され、吸水口の吸引力に応じてこの吸引力が所定値以下に低減される大きさに形成された吸水口カバーを備えたことを特徴とするジェットバス装置。
【請求項２】
前記吸水口カバーの内部に取り付けられた浮力を有する係止手段が、前記浴槽の水位の上昇に伴い、係止手段自身の浮力により上方に浮動し、浴槽壁に取り付けられた係止手段に係止されることを特徴とする請求項１記載のジェットバス装置。
【請求項３】
浴槽と循環ポンプとの間に浴槽内の湯水を循環する流路を介設し、浴槽内の湯水を循環ポンプによって、浴槽内に設けられた吸水口から吸引し、浴槽内に設けられた噴流口から噴出するジェットバス装置であって、吸水口に覆設される吸水口カバーが、吸水口の吸引力に応じてこの吸引力が所定値以下に低減される大きさに形成された吸水口覆設板と、この吸水口覆設板に配設された浮き具ガイドと、吸水口近傍の浴槽壁に取り付けられた鉤部受け具に係止可能な鉤部を有し、前記浮き具ガイドに上下浮動可能に挿設され、浴槽の水位の上昇に伴い自身の浮力により上方に浮動して、前記鉤部が前記鉤部受け具に係止されるように形成された浮き具とを備えたことを特徴とするジェットバス装置。
【請求項４】
浴槽と循環ポンプとの間に浴槽内の湯水を循環する流路を介設し、浴槽内の湯水を循環ポンプによって、浴槽内に設けられた吸水口から吸引し、浴槽内に設けられた噴流口から噴出し、吸水口に連通連結された吸水口受け具に吸水口カバーが取り付けられるジェットバス装置であって、この吸水口カバー上部に形成された係止凹部と、前記吸水口受け具に配設された浮き具ガイドと、この浮き具ガイドに上下浮動可能に挿設され、頭部に係止凸部を有する浮き具とを備え、この浮き具が、浴槽の水位の上昇に伴い浮き具自身の浮力により上方に浮動して、前記係止凹部に係止されることを特徴とするジェットバス装置。
【請求項５】
請求項４記載の浮き具の下部に傾斜面を形成し、この傾斜面に、浴槽内から吸水口内部に向かって吸引される湯水の水圧が加わることによって、請求項４記載の浮き具全体が上方に押上げられ、請求項４記載の係止凸部が、請求項４記載の吸水口カバー上部に形成された係止凹部に係止されることを特徴とする請求項４記載のジェットバス装置。
【請求項６】
請求項１乃至請求項３記載の吸水口カバーに略コの字形に形成された枢軸を取り付け、この枢軸が回動可能に嵌装される枢軸受け具を浴槽壁に取り付け、枢軸受け具に着脱される方向のカバー枢軸の最大径は、枢軸受け具頭部に形成された枢軸受け凹部の内径に略等径に形成され、且つ、枢軸受け具に着脱される方向に略直角方向のカバー枢軸の最大径は、前記枢軸受け凹部に形成された枢軸受け口の径よりも小径に形成されることにより、請求項１乃至請求項３記載の吸水口カバーが、浴槽壁に対して所定の角度をなす際は浴槽壁に着脱可能になり、また、浴槽壁に着設されている際は浴槽壁に対して近接又は離反する方向に回動可能になることを特徴とする請求項１乃至請求項３のいずれかに記載のジェットバス装置。
【請求項７】
前記循環ポンプからの噴流を分岐させるために噴流側循環用の流路の中途に介設された流路切替え弁と、この流路切替え弁の操作レバーと、前記流路切替え弁に装着可能な弁操作具と、前記流路切替え弁を浴室壁に取り付ける切替え弁取り付け具とを備え、操作レバーは、レバー把持部と、このレバー把持部の長手方向の端部に延設された棒状のレバー支軸と、このレバー支軸の先端に形成された凸状の嵌合凸部とからなり、弁操作具は、流路切替え弁の弁切替え操作部に装着可能に形成された片面と、前記操作レバー支軸先端の嵌合凸部が嵌合可能なレバー支軸嵌合孔が穿設された片面とが対向して形成され、切替え弁取り付け具は、略中央部に前記レバー支軸が挿通可能なレバー支軸挿通孔が形成された略四辺形の固定用平板を有し、この固定用平板の左右の側縁部に配管挿通孔を穿設された一対の切替え弁保持板が形成されており、弁操作具を装着された流路切替え弁が連結された切替え弁取り付け具を浴室壁に取り付け、この浴室壁に設けられたレバー支軸の挿通孔に前記レバー支軸を挿通して、前記嵌合凸部を前記レバー支軸嵌合孔に嵌合させ、前記操作レバーを回動させて、浴室内から流路切替え弁を操作することを特徴とする請求項１乃至請求項６のいずれかに記載のジェットバス装置。
【請求項８】
前記循環ポンプから噴出された噴流を流路切替え弁により浴湯用と打たせ湯用に分岐させ、この流路切替え弁により浴湯と打たせ湯のいずれか一方又は両方を選択的に噴出又は吐出可能にし、前記浴槽上方の浴室壁に打たせ湯用の吐出ノズルを設けて、この吐出ノズルの外周に摺動自在に嵌合されると共に、側面にネジ孔を穿設された外管を備え、この外管の側面のネジ孔に螺合される手段によって、前記吐出ノズルの前後位置と左右回転角度が設定されることを特徴とする請求項１乃至請求項７のいずれかに記載のジェットバス装置
【請求項９】
前記循環ポンプから噴出されたジェット噴流の流路の中途に、このジェット噴流に気泡を混入させる気泡混入管を介設し、この気泡混入管は、循環ポンプからのジェット噴流が流入する流入管と、ジェット噴流に気泡を混入する吸気管と、この吸気管が挿入されると共に、流入管に連通連結され、気泡混じりのジェット噴流を浴槽の噴流口へ噴出する気泡噴流管とからなり、流入管の内径は、気泡噴流管の内径よりも大径に形成され、気泡噴流管に挿入された吸気管の開口部が浴槽の噴流口側を向くように傾斜して形成されたことを特徴とする請求項１乃至請求項８のいずれかに記載のジェットバス装置。
【請求項１０】
前記循環ポンプ本体の下面に取り付けた循環ポンプのポンプ及水口と、このポンプ及水口の上方に取り付けられ、略水平方向に回転して湯水の吸水口からの吸引と噴流口への噴流を行う羽根車と、この羽根車の上方に取り付けられ羽根車を回転駆動するモータ部と、羽根車の横方向に取り付けらたポンプ噴流口とを備えたことを特徴とする請求項１乃至請求項９のいずれかに記載のジェットバス装置。
【発明の詳細な説明】
【０００１】
【発明の属する技術分野】
本発明は、浴槽と循環ポンプとの間に浴槽内の湯水を循環する流路を介設し、浴槽内の湯水を前記循環ポンプによって、浴槽内に設けられた吸水口から吸引し、浴槽内に設けられた噴流口から噴出するジェットバス装置に関し、特に、安全な吸水口カバーを有し、打たせ湯機能を付加したジェットバス装置に関するものである。
【０００２】
【従来の技術】
従来技術として、入浴者の頭髪がジェットバスの及水口に吸引されないように、浴槽の循環湯の吸水口に吸水口受け具を嵌め込み、フィルター機能付き吸水口カバーを吸水口に螺合して取り付けるか、あるいは、吸水口受け具に吸水口カバーをネジ止めして取り付けている。また、前記吸水口カバーに複数の通水孔を設け、この通水孔間に複数のブレードを設けることにより、吸水口の吸引力を分散させるという技術がある（例えば、特許文献１。）。
【０００３】
【特許文献１】
特開２０００−２０９７７６号公報
【０００４】
【発明が解決しようとする課題】
しかしながら、従来技術のような吸水口受け具にフィルター機能付き吸水口カバーを取り付けるタイプの市販品においては、使用時の制約事項を多数設け、入浴中に入浴者の頭髪などが吸引される危険性を防止するように注意しているのが実態である。また、上記従来の技術では、入浴者が浴槽内側から吸水口カバーの着脱の操作が可能な構造であり、吸水口カバーやネジを逆向きに回すと吸水口カバーが吸水口から離脱し、入浴者の頭髪や子供の入浴用玩具などが吸水口に吸引される場合があるという問題があった。
【０００５】
本発明は、以上のような従来技術の問題点に鑑みてなされたものであり、入浴者の身体や頭髪、子供の入浴用玩具などが、吸水口や吸水口に覆設された吸水口カバーに吸引されず、また、入浴中は吸水口カバーの離脱操作ができず安全であるというジェットバス装置を提供することを目的とするものである。
【０００６】
【課題を解決するための手段】
このため本発明は、浴槽と循環ポンプとの間に浴槽内の湯水を循環する流路を介設し、浴槽内の湯水を循環ポンプによって、浴槽内に設けられた吸水口から吸引し、浴槽内に設けられた噴流口から噴出するジェットバス装置であって、吸水口に覆設され、吸水口の吸引力に応じてこの吸引力が所定値以下に低減される大きさに形成された吸水口カバーを備えたことを第１の特徴とする。
【０００７】
また、請求項１記載のジェットバス装置において、吸水口カバーの内部に取り付けられた浮力を有する係止手段が、前記浴槽の水位の上昇に伴い、係止手段自身の浮力により上方に浮動し、浴槽壁に取り付けられた係止手段に係止されることを第２の特徴とする。
【０００８】
次に、浴槽と循環ポンプとの間に浴槽内の湯水を循環する流路を介設し、浴槽内の湯水を循環ポンプによって、浴槽内に設けられた吸水口から吸引し、浴槽内に設けられた噴流口から噴出するジェットバス装置であって、吸水口に覆設される吸水口カバーが、吸水口の吸引力に応じてこの吸引力が所定値以下に低減される大きさに形成された吸水口覆設板と、この吸水口覆設板に配設された浮き具ガイドと、吸水口近傍の浴槽壁に取り付けられた鉤部受け具に係止可能な鉤部を有し、前記浮き具ガイドに上下浮動可能に挿設され、浴槽の水位の上昇に伴い自身の浮力により上方に浮動して、前記鉤部が前記鉤部受け具に係止されるように形成された浮き具とを備えたことを第３の特徴とする。
【０００９】
そして、浴槽と循環ポンプとの間に浴槽内の湯水を循環する流路を介設し、浴槽内の湯水を循環ポンプによって、浴槽内に設けられた吸水口から吸引し、浴槽内に設けられた噴流口から噴出し、吸水口に連通連結された吸水口受け具に吸水口カバーが取り付けられるジェットバス装置であって、この吸水口カバー上部に形成された係止凹部と、前記吸水口受け具に配設された浮き具ガイドと、この浮き具ガイドに上下浮動可能に挿設され、頭部に係止凸部を有する浮き具とを備え、この浮き具が、浴槽の水位の上昇に伴い浮き具自身の浮力により上方に浮動して、前記係止凹部に係止されることを第４の特徴とする。
【００１０】
また、請求項４記載のジェットバス装置において、浮き具の下部に傾斜面を形成し、この傾斜面に、浴槽内から吸水口内部に向かって吸引される湯水の水圧が加わることによって、浮き具全体が上方に押上げられ、係止凸部が、吸水口カバー上部に形成された係止凹部に係止されることを第５の特徴とする。
【００１１】
さらに、請求項１乃至請求項３のいずれかに記載のジェットバス装置において、吸水口カバーに略コの字形に形成された枢軸を取り付け、この枢軸が回動可能に嵌装される枢軸受け具を浴槽壁に取り付け、枢軸受け具に着脱される方向のカバー枢軸の最大径は、枢軸受け具頭部に形成された枢軸受け凹部の内径に略等径に形成され、且つ、枢軸受け具に着脱される方向に略直角方向のカバー枢軸の最大径は、前記枢軸受け凹部に形成された枢軸受け口の径よりも小径に形成されることにより、吸水口カバーが、浴槽壁に対して所定の角度をなす際は浴槽壁に着脱可能になり、また、浴槽壁に着設されている際は浴槽壁に対して近接又は離反する方向に回動可能になることを第６の特徴とする。
【００１２】
加えて、請求項１乃至請求項６のいずれかに記載のジェットバス装置において、循環ポンプからの噴流を分岐させるために噴流側循環用の流路の中途に介設された流路切替え弁と、この流路切替え弁の操作レバーと、流路切替え弁に装着可能な弁操作具と、流路切替え弁を浴室壁に取り付ける切替え弁取り付け具とを備え、操作レバーは、レバー把持部と、このレバー把持部の長手方向の端部に延設された棒状のレバー支軸と、このレバー支軸の先端に形成された凸状の嵌合凸部とからなり、弁操作具は、流路切替え弁の弁切替え操作部に装着可能に形成された片面と、操作レバー支軸先端の嵌合凸部が嵌合可能なレバー支軸嵌合孔が穿設された片面とが対向して形成され、切替え弁取り付け具は、略中央部に前記レバー支軸が挿通可能なレバー支軸挿通孔が形成された略四辺形の固定用平板を有し、この固定用平板の左右の側縁部に配管挿通孔を穿設された一対の切替え弁保持板が形成されており、弁操作具を装着された流路切替え弁が連結された切替え弁取り付け具を浴室壁に取り付け、この浴室壁に設けられたレバー支軸の挿通孔に前記レバー支軸を挿通して、嵌合凸部をレバー支軸嵌合孔に嵌合させ、操作レバーを回動させて、浴室内から流路切替え弁を操作することを第７の特徴とする。
【００１３】
また、請求項１乃至請求項７のいずれかに記載のジェットバス装置において、循環ポンプから噴出された噴流を流路切替え弁により浴湯用と打たせ湯用に分岐させ、この流路切替え弁により浴湯と打たせ湯のいずれか一方又は両方を選択的に噴出又は吐出可能にし、浴槽上方の浴室壁に打たせ湯用の吐出ノズルを設けて、この吐出ノズルの外周に摺動自在に嵌合されると共に、側面にネジ孔を穿設された外管を備え、この外管の側面のネジ孔に螺合される手段によって、吐出ノズルの前後位置と左右回転角度が設定されることを第８の特徴とする。
【００１４】
そして、請求項１乃至請求項８のいずれかに記載のジェットバス装置において、循環ポンプから噴出されたジェット噴流の流路の中途に、このジェット噴流に気泡を混入させる気泡混入管を介設し、この気泡混入管は、循環ポンプからのジェット噴流が流入する流入管と、ジェット噴流に気泡を混入する吸気管と、この吸気管が挿入されると共に、流入管に連通連結され、気泡混じりのジェット噴流を浴槽の噴流口へ噴出する気泡噴流管とからなり、流入管の内径は、気泡噴流管の内径よりも大径に形成され、気泡噴流管に挿入された吸気管の開口部が浴槽の噴流口側を向くように傾斜して形成されたことをを第９の特徴とする。
【００１５】
また、請求項１乃至請求項９のいずれかに記載のジェットバス装置において、環ポンプ本体の下面に取り付けた循環ポンプのポンプ及水口と、このポンプ及水口の上方に取り付けられ、略水平方向に回転して湯水の吸水口からの吸引と噴流口への噴流を行う羽根車と、この羽根車の上方に取り付けられ羽根車を回転駆動するモータ部と、羽根車の横方向に取り付けらたポンプ噴流口とを備えたことを第１０の特徴とする。
【００１６】
【発明の実施の形態】
以下、本発明の実施の形態を図面に示す実施例に基づいて説明する。図１は、本発明に係るジェットバス装置の吸水口覆設板の一実施例を示す正面図である。図２はその背面図、図３はその平面図、図４はその底面図、図５はその右側面図である。図６は、本発明に係るジェットバス装置の浮き具の一実施例を示す説明図である。図７は、本発明に係るジェットバス装置の浮き具ガイドの一実施例を示す説明図である。図８は、図６の浮き具及び図７の浮き具ガイドについての作用説明図である。図９は、本発明に係るジェットバス装置のカバー枢軸の説明図である。図１０は、本発明に係るジェットバス装置の枢軸受け具の一実施例を示す説明図である。図１１は、図５の吸水口カバーを浴槽壁に取り付ける際の操作説明図である。図１２は、本発明に係るジェットバス装置の弁操作具と操作レバーの一実施例を示す説明図である。図１３は、図１２の操作レバーを用いた流路切替え弁の操作説明図である。図１４は、本発明に係るジェットバス装置の切替え弁取り付け具の一実施例を示す説明図である。図１５は、図１４の切替え弁取り付け具を用いて流路切替え弁を浴室壁へ取り付ける方法の説明図である。図１６は、本発明に係るジェットバス装置の全体構成の一実施例を示す、正面から見た説明図である。図１７は、図１６を右側方から見た説明図である。図１８は、本発明に係るジェットバス装置の気泡混入管の一実施例を示す説明図である。図１９は、本発明に係るジェットバス装置の吸水口カバーと浴槽壁との係止手段の実施例を示す説明図である。図２０は、本発明に係るジェットバス装置の枢軸受け具の他の実施例を示す説明図である。
【００１７】
まず、全体の構成について説明する。図１６、図１７に示すように、ジェットバス装置１は、浴室１７内に設置された浴槽１６と浴室１７外に設置された循環ポンプＰとの間に、浴槽１６内の湯水Ｈを循環する流路２２ｄ、２２ｂ、２２ｃ、２１ｃが介設され、浴槽１６内の湯水Ｈを循環ポンプＰによって、浴槽１６内に設けられた吸水口Ａから吸引し、浴槽１６内に設けられた噴流口Ｇから噴出するように構成されている。尚、流路２１ｃは、気泡混入管２１の一部を形成し、気泡噴流管２１ｃという要素名称で後述する。
【００１８】
浴槽壁Ｗ２には、吸水口Ａの覆設手段として吸水口カバー２が着脱可能に枢設されており、吸水口Ａに覆設されている。吸水口カバー２は、吸水口Ａの吸引力に応じてこの吸引力が所定値以下に低減される大きさに形成された吸水口覆設板３と、濾過吸水具５（図１７において、上端部及び下端部のみを示す）と、濾過吸水具５内部に設けられた浮き具６及び浮き具ガイド７とを備え、吸水口カバー２が浴槽壁Ｗ２に着設されると、濾過吸水具５が吸水口Ａを覆って浴槽壁Ｗ２に着接される。浴槽１６の湯水Ｈが、所定の水位以下の際には、吸水口カバー２は、カバー枢軸８を枢軸として浴槽壁Ｗ２に対して近接又は離反する方向に回動可能である。また、湯水Ｈが所定の水位以上に達した状態では、図１７に示すように、鉤部６ｂを有する浮き具６が、自身の浮力により上方に浮動し、浴槽壁Ｗ２に取り付けられた鉤部受け具１０に係止され、吸水口カバー２が、浴槽壁Ｗ２に対して回動不能及び離脱不能になる。逆に、湯水Ｈが所定の水位以下に達すると、浮き具６が鉤部受け具１０から下方に離隔し、吸水口カバー２は、浴槽壁Ｗ２に対して回動可能及び離脱可能になる。吸水口カバー２の噴流通過孔４は、噴流口Ｇに対応した位置に設けられており、噴流口Ｇから噴出される気泡混じりのジェット噴流が通過可能である。
【００１９】
また、循環ポンプＰによってジェット噴流として噴出される湯水は、噴流側循環用の流路の中途（流路２２ｂと流路２２ｃとの間）に、切替え弁取り付け具１３を介して浴室壁Ｗ１に取り付けられた流路切替え弁（三方弁）１４によって、打たせ湯用の流路２２ａと浴湯用の流路２２ｃとに分岐される。この流路切替え弁１４は操作レバー１２と連結されており、浴室１７内に設けられた操作レバー１２のレバー把持部１２ｃを回動させることによって、流路切替え弁１４の弁の切替え操作が行われ、浴湯と打たせ湯のいずれか一方又は両方を選択的に噴出又は吐出することができる。浴室壁Ｗ１の浴槽１６上方に設けられた打たせ湯用の吐出ノズル１８ａの外周には摺動自在に外管１８ｂが嵌合され、この外管１８ｂの側面に穿設されたネジ孔に螺合されるネジ１８ｅを操作することによって、吐出ノズル１８ａの前後位置と左右の角度が自在に設定される。また、流路切替え弁１４と噴流口Ｇとの間には、気泡混入管２１が介設され、ジェット噴流に気泡が混入されて浴槽１６内に噴出される。
【００２０】
次に、各部について詳細に説明する。図１乃至図５、図１６、図１７に示すように、本発明に係るジェットバス装置１の吸水口カバー２は、略四辺形の平板形状に形成されたステンレス鋼製の吸水口覆設板３と、吸水口覆設板３背面の左右上端近傍に突設されたカバー枢軸８と、吸水口覆設板３背面の、吸水口Ａに覆設される位置に取り付けられた略四辺形の環状の濾過吸水具５と、濾過吸水具５内部で吸水口Ａよりも下方位置の吸水口覆設板３背面に取り付けられ、鉤部６ｂを有する浮き具６が上下浮動可能に挿設された浮き具ガイド７とからなっている。吸水口覆設板３には、浴槽の噴流口Ｇと対応した上部水平方向位置に一対の噴流通過孔４が形成され、浴槽１６の噴流口Ｇからのジェット噴流が通過可能である。尚、図３乃至図５において、吸水口覆設板３の下部に設けられた浮き具６と浮き具ガイド７は図示していない。
【００２１】
図３乃至図５において、図３（ｂ）、図４（ｂ）、図５（ｂ）は、それぞれ図３（ａ）、図４（ａ）、図５（ａ）の濾過具５ｂを取り外した状態を示す図である。図２乃至図５、図１６、図１７に示すように、濾過吸水具５は、通水孔形成用舌片５ｄと、鍔部５ｃと、通水孔５ａと、濾過具（フィルター）５ｂとからなっている。略四辺形の通水孔形成用舌片５ｄは、吸水口覆設板３背面上に略等間隔で略四辺形の環状に立設され、通水孔形成用舌片５ｄの上面から、所定幅を有する鍔部５ｃが取り付けられている。スリット状の通水孔５ａは、通水孔形成用舌片５ｄと吸水口覆設板３と鍔部５ｃとで囲まれた略四辺形の透孔で形成され、通水孔５ａの全面には網目状の濾過具５ｂが被着されている。通水孔形成用舌片５ａと鍔部５ｃとは、ステンレス鋼で形成され、濾過具５ａは、合成繊維で形成されている。
【００２２】
浴槽１６内において、吸水口Ａからの位置が遠くなるほど、吸水口Ａの吸引力が分散されて低減されることから、吸水口覆設板３の大きさは、循環ポンプＰによって吸引される浴槽１６の吸水口Ａの吸引力に応じて、この吸引力が所定値以下に低減され入浴者の頭髪が吸引されないように、所定の大きさに形成されている。本実施例では、吸水口覆設板３は、一辺が約４０ｃｍの略正方形に形成されているが、吸水口Ａの吸引力に応じて、所定の大きさに形成される。また、濾過吸水具５の幅は、入浴者の身体の背部、腹部、臀部などの表面積の広い部分が、吸水口覆設板３の背後部（吸水口覆設板３を浴槽壁Ｗ２に着設した際の、吸水口覆設板３と浴槽壁Ｗ２との間隙）に進入困難な幅に形成されている。本実施例では、濾過吸水具５の幅は、約１ｃｍの幅に形成されている。これらにより、入浴中に入浴者の頭髪や子供の入浴用玩具などが吸水口Ａに吸引されることが防止でき、また、入浴者の身体の背部、腹部、臀部などの表面積の広い部分が濾過吸水具５の通水孔５ａを塞いで一時的に循環ポンプＰの吸引力が強まることが防止できる。
【００２３】
図６（ａ）は、吸水口カバー２と浴槽壁１６との係止手段の浮き具６の平面図、図６（ｂ）は、その背面図、図６（ｃ）は、その右側面図である。図７（ａ）は、浮き具ガイド７の平面図、図７（ｂ）は、その背面図、図７（ｃ）は、その左側面図である。図６、図７に示すように、浮き具６は、浮き具本体６ｃの横断面が略楕円形状に形成され、内部に空洞部６ａを有し、底面に鉤形状に形成されたステンレス鋼製の鉤部６ｂが固着されている。また、浮き具６全体の比重が湯より軽くなるように重量調整がなされて、挿設された浮き具ガイド７内で、浴槽の水位の上下に伴って、浮き具６自身の浮力により上下浮動可能である。この浮き具６は、表面張力などで浮き具ガイド７に張り付くような場合は、浮き具６全体の比重が湯より軽い範囲内で錘を付加されてもよい。また、浮き具本体６ｃの横断面形状も略楕円形に限定されず、浮き具６全体の比重が湯より軽い部材であれば、空洞部は不要である。さらに、浮き具本体６ｃの材質は、耐食性を有する材質が好適であり、例えば合成樹脂などが使用される。
【００２４】
図７に示すように、浮き具ガイド７は、ステンレス鋼製で、一対の横断面略Ｌ字形状のガイド板７ａが、浮き具６を上下浮動可能に挿設して、吸水口覆設板３の背面に対峙して取り付けられている。このガイド板７ａの下端には、略四辺形のステンレス鋼製の底板７ｄが接合されており、浮き具６が下方へ離脱しないように形成されている。また、浮き具ガイド７の上端片側面には、ネジ孔が穿孔され、このネジ孔にはナット７ｃを介して浮き具抜け止めネジ７ｂが螺合されている。この螺合された浮き具抜け止めネジ７ｂのネジ端部７ｅは浮き具ガイド７内方に突出しており、この突出したネジ端部７ｅに浮き具６の頭部が当接して、浮き具６が浮き具ガイド７上方から離脱することを防いでいる。
【００２５】
また、図８に示すように、浮き具６は、浴槽の水位Ｌ１が所定以上の水位Ｌ２に上昇すると、浮き具６自身の浮力によって上方に浮動しする。そして、鉤部６ｂが、対向する浴槽壁Ｗ２にゴム製のパッキン１０ｂを介してネジ１０ｃでネジ止めされた、鉤部受け具１０の係止部１０ａに係止される。この鉤部受け具１０は、吸水口カバー２と浴槽壁Ｗ２との係止手段であり、ステンレス鋼で形成されている。これにより、浮き具６が取り付けらた吸水口カバー２が、浴槽壁Ｗ２に対して回動不能になると共に、浴槽壁Ｗ２から離脱不能になる。逆に、浴槽の水位Ｌ２が下がり、所定以下の水位Ｌ１になると、浮き具６が、下方に浮動して鉤部受け具１０の係止部１０ａから離脱し、これにより、浮き具６が取り付けらた吸水口カバー２が、浴槽壁Ｗ２に対して近接又は離反する方向に回動可能になると共に、浴槽壁Ｗ２から離脱可能になる。もちろん、この状態では、離脱された吸水口カバー２は、浴槽壁Ｗ２に着設可能である。
【００２６】
このように、浴槽１６の湯水の水位が所定以上になり、入浴者が入浴している際には、吸水口カバー２の着脱（着設及び離脱）操作及び回動操作ができないので、非常に安全である。また、鉤部受け具１０、浮き具６の取り付け位置は、特に限定しないが、好ましくは吸水口Ａよりも下方位置に取り付けたほうが良い。これにより、湯水の水位が吸水口Ａよりも下がるまでは吸水口カバー２が浴槽壁Ｗ２に対して回動不能及び離脱不能である。湯水の水位が吸水口Ａよりも下がり、吸水口Ａ内の湯水が排水されるので、万一循環ポンプが作動していても、より安全である。また、浴槽壁Ｗ２に着設された吸水口カバー２のガタツキも低減される。尚、本実施例では、鉤部受け具１０は、パッキン１０ｂを介して浴槽壁Ｗ２に直接的に取り付けられているが、例えば、吸水口に連結され浴槽壁に固定された吸水口受け具に取り付けるなど、間接的に浴槽壁Ｗ２に取り付けられても、吸水口カバー２と浴槽壁Ｗ２との係止作用の効果は同じである。
【００２７】
次に、図９（ａ）は、カバー枢軸８の斜視図、図９（ｂ）は、そのＡ−Ａ線断面図を示す。また、図１０（ａ）は、枢軸受け具の正面図、図１０（ｂ）は、その右側面図、図１０（ｃ）は、その斜視図を示す。図９、図１０に示すように、カバー枢軸８は、略四辺形の平板を屈曲させた略コの字形の形状をなし、下部の平板部が軸部８ａである。枢軸受け具９に着脱される方向のカバー枢軸の最大径ｄ１は、枢軸受け具９頭部に形成された枢軸受け凹部９ａの内径ｄ３に略等径に形成され、且つ、枢軸受け具９に着脱される方向に略直角方向のカバー枢軸の最大径ｄ２（軸部８ａの厚さ）が、枢軸受け具９頭部に形成された枢軸受け口９ｂの径ｄ４よりも小径に形成されている。カバー枢軸８の両端部は、図２乃至図５に示したように、吸水口覆設板３背面上端部に取り付けられる。枢軸受け具９は、ステンレス鋼製の頭部の縦断面が略逆Ｃ形状の枢軸受け凹部９ａを有し、右側にネジ部９ｃを有し、浴槽壁Ｗ２にこのネジ部９ｃを螺入してネジ止めされる。枢軸受け凹部９ａには、枢軸受け口９ｂからカバー枢軸８が嵌装される。尚、本実施例では、カバー枢軸８が、枢軸受け具９に着脱される方向が略水平方向となり、枢軸受け具９に着脱される方向に略直角な方向が、略垂直方向となっている。
【００２８】
カバー枢軸８と枢軸受け具９を、以上のように構成したので、図１１（ａ）に示すように、吸水口カバー２を浴槽壁Ｗ２に略直角にした際に、カバー枢軸８の軸部８ａを枢軸受け具９の枢軸受け凹部９ａに嵌装することにより、吸水口カバー２を浴槽壁Ｗ２に着設することができる。また、逆の操作で、吸水口カバー２を浴槽壁Ｗ２から離脱させることができる。浴槽壁Ｗ２に着設された枢軸受け具９に枢支された吸水口カバー２を下方向に回動させ、図１１（ｂ）に示すように、吸水口カバー２が浴槽壁Ｗ２に着設された際には、前記したようにカバー枢軸８の最大径ｄ１が枢軸受け具９の枢軸受け口９ｂの径ｄ５よりも大径であるため、吸水口カバー２は、枢軸受け具９が取り付けられた浴槽壁Ｗ２から離脱不能である。また、吸水口カバー２は、カバー枢軸８を枢軸として浴槽壁Ｗ２に対して近接又は離反する方向に回動可能である。このように、吸水口カバー２は、浴槽壁Ｗ２の噴流口より上方に取り付けられた枢軸受け具９に、カバー枢軸８が嵌装されて、浴槽壁Ｗ２に枢設される。
【００２９】
さらに、図８で示したように、浴槽の水位が所定以上の水位Ｌ２に上昇すると、浮き具６が自身の浮力により浮き具ガイド７に案内されて上方に浮動する。そして、浮き具６の鉤部６ｂが、対向する浴槽壁Ｗ２に取り付けられた鉤部受け具１０の係止部１０ａに係止される。このため、吸水口カバー２は回動不能になり、水位が所定以下に下がらない限り、この状態は維持される。
【００３０】
次に、流路切替え弁の操作及び取り付け具について説明する。図１２（ａ）は、本発明に係る弁操作具の一実施例を示す斜視図である。図１２（ｂ）は、本発明に係る操作レバーの一実施例を示す斜視図であり、図１２（ｃ）は、図１２（ｂ）のＢ−Ｂ線断面図である。図１３は、流路切替え弁の弁切り替え操作説明図である。図１２、図１３に示すように、弁操作具１１は、ステンレス鋼製の平板を略コの字状に屈曲させて形成したもので、対向する一方の片面は、流路切替え弁１４の弁切替え操作部１４ａに装着可能なように、短辺が略円弧状をなす略四辺形の透孔１１ａと当接部１１ｂ、１１ｃが形成され、また、反対側の片面には、ステンレス鋼製の操作レバー１２のレバー支軸１２ｂに嵌合可能な略四辺形状のレバー支軸嵌合孔１１ｄが形成されている。弁切替え操作部１４ａに装着される片面に形成された当接部１１ｂ、１１ｃは、弁操作具１１が、市販品の流路切替え弁１４の弁切替え操作部１４ａに装着されて回動する際に、流路切替え弁１４の回動停止突条１４ｂに当接して止まり、不要に回動しないように構成されている。また、操作レバー１２は、屈曲した平板状のレバー把持部１２ｃの長手方向端部に棒状のレバー支軸１２ｂが延設されて形成されており、レバー支軸１２ｂの先端部には、弁操作具１１のレバー支軸嵌合孔１１ｄに嵌合可能な凸状の嵌合凸部１２ａが形成されている。この嵌合凸部１２ａの略中央部には、ピン孔１２ｆが穿孔されており、図１７に示すように、操作レバー１２と弁操作具１１が嵌合される際に、このピン孔１２ｆに割りピン１２ｇが挿入され、操作レバー１２が弁操作具１１から離脱することを防止する。尚、流路切替え弁１４は、前記したように市販品であるので、本実施例での詳細な説明は省略する。
【００３１】
図１３に示すように、操作レバー１２の先端部の嵌合凸部１２ａが、流路切替え弁１４に装着された弁操作具１１のレバー支軸嵌合孔１１ｄに嵌合され、レバー把持部１２ｃを回動させることによって、操作レバー１２に連結された弁操作具１１、弁切替え操作部１４ａが連動して回動し、流路切替え弁１４の弁切り替え操作が行われる。図１３（ａ）に示すように、レバー把持部１２ｃが略水平状態の際は、下方のホース接続管１５ｂと左方のホース接続管１５ａが連通され、図１３（ｂ）に示すように、レバー把持部１２ｃが略垂直状態の際は、下方のホース接続管１５ｂと右方のホース接続管１５ｃが連通されるように、弁が切替えられる。
【００３２】
図１４（ａ）は、本発明に係る切替え弁取り付け具の一実施例を示す斜視図であり、図１４（ｂ）は、その正面図である。図１４に示すように、切替え弁取り付け具１３は、ステンレス鋼製で、隅角にネジ孔１３ｃを有し、略中央部に前記レバー支軸１２ｂ（図１２参照）が挿通可能なレバー支軸挿通孔１３ｅが形成された略四辺形の固定用平板１３ｄと、この固定用平板１３ｄの左右の側縁部に形成された配管挿通孔１３ｂを有する一対の切替え弁保持板１３ａとからなっている。この切替え弁保持板１３ａに形成された配管挿通孔１３ｂの径は、流路切替え弁１４に螺着されたホース接続管１５ａ、１５ｂ、１５ｃが挿通可能な大きさである。
【００３３】
また、図１５に示すように、ホース接続管１５ａ、１５ｂ、１５ｃなどの接続管が、切替え弁取り付け具１３の配管挿通孔１３ｂに挿通され、流路切替え弁１４に螺着される。これにより、ホース接続管１５ａ、１５ｂ、１５ｃと、流路切替え弁１４と、切替え弁取り付け具１３が連結され、ネジ孔１３ｃからネジを螺乳して、確実に浴室壁Ｗ１に取り付けられる。
【００３４】
次に、図１６、図１７に示すように、この切替え弁取り付け具１３の固定用平板１３ｄを浴室壁Ｗ１に着接し、固定用平板１３ｄの隅角のネジ孔１３ｃを介してネジ１３ｆなどの螺合手段を浴室壁Ｗ１に螺入して固着する。また、浴室壁Ｗ１には、操作レバー１２のレバー支軸１２ｂが挿通可能な貫通孔が形成されている。そして、操作レバー１２が、この浴室壁Ｗ１に設けられた貫通孔に浴室１７内側から挿通され、レバー支軸１２ｂ先端の嵌合凸部１２ａが、弁操作具１１のレバー支軸嵌合孔１１ｄに嵌合される。さらに、割りピン挿通孔１２ｆに割りピン１２ｇを挿通し、操作レバー１２の弁操作具１１からの離脱が防止できる。
【００３５】
次に、図１３で説明したように操作レバー１２のレバー把持部１２ｃを回動させると、レバー支軸１２ｂ、弁操作具１１、弁切替え操作部１４ａが連動して回動し、流路切替え弁１４の弁切替え動作が行われる。このようにして、浴室１７内側から、流路切替え弁１４を操作することができる。また、流路切替え弁１４が連結された切替え弁取り付け具１３を浴室壁Ｗ１に固着した状態では、切替え弁取り付け具１３の切替え弁保持板１３ｂを軸に流路切替え弁１４が多少回動するが、前記したように、操作レバー１２のレバー支軸１２ｂを流路切替え弁１４に装着された弁操作具１１に嵌合することにより、流路切替え弁１４の回動が大幅に低減され、より安定になる。
【００３６】
また、図１６は、図１７に示すように、循環ポンプＰから噴出されたジェット噴流が、流路切替え弁１４により浴湯用の流路２２ｃと打たせ湯用の流路２２ａとに分岐され、打たせ湯用の流路２２ａを通過して、浴室１７の上方に設けられ、打たせ湯用の流路２２ａと連通連結された打たせ湯用の吐出ノズル１８ａから吐出される。この吐出ノズル１８ａの外周には、摺動自在に外管１８ｂが嵌合され、外管１８ｂの側面には、ネジ孔が穿設されている。この外管１８ｂの浴室壁Ｗ１側の端部が、鍔状のノズル支持台座１８ｃに回動自在に嵌装され、このノズル支持台座１８ｃが、浴室壁Ｗ１上部にネジ１８ｄによりネジ止めされている。これにより、外管１８ｂが浴室壁Ｗ１に固定されるため、吐出ノズル１８がａ前後方向に摺動可能となる。この吐出ノズル１８ａの左右方向の角度と水平方向の前後位置は、外管１８ｂ側面のネジ孔にネジ１８ｄを螺合して吐出ノズル１８ａを外管１８ｂに圧接固定することにより容易に設定される。
【００３７】
また、図１６、図１７に示すように、操作レバー１２のレバー支軸１２ｂは、浴室壁Ｗ１にネジ１２ｅによりネジ止めされた鍔状のレバー支持台座１２ｄの中央部の貫通孔に挿通されており、浴室壁Ｗ１の略中央部右側には、循環ポンプ制御スイッチ１９が設けられている。この循環ポンプ制御スイッチ１９は、好ましくは防水タイプのものが使用される。
【００３８】
また、図１７、図１８に示すように、流路切替え弁１４と浴槽１６の噴流口Ｇとの間には、本発明に係る、ジェット噴流に気泡を混入させるための気泡混入管２１が設けられている。図１８（ａ）は、気泡混入管２１の斜視図であり、図１８（ｂ）は、その要部拡大図である。この気泡混入管２１は、略倒Ｔ字状の流入管２１ｅの下方の左右前面に一対の継手管２１ｄが接続されている。このそれぞれの継手管２１ｄには、端部にネジ部２１ｆが形成され、ネジ部２１ｆ近傍の上面に吸気管２１ａが挿入された気泡噴流管２１ｃが螺着されている。吸気管２１ａには透明な合成樹脂製の吸気ホース２１ｂが取り付けられ、この吸気ホース２１ｂの上端は、ジェットバス装置１が非作動状態の際に、浴槽１６の湯水が逆流して漏出しないように、浴槽１６の水位よりも高い位置になるように設定されている。尚、吸気ホース２１ｂは、半透明又は不透明でも構わず、材質もステンレス鋼のような金属でも良い。
【００３９】
流入管２１ｅ、継手管２１ｄ、気泡噴流管２１ｃ、吸気管２１ａはステンレス鋼で形成された、中空の鋼管である。流入管２１ｅの内径ｄ２１は、気泡噴流管２１ｃの内径ｄ２２よりも大径に形成されている。また、気泡噴流管２１ｃに挿入された吸気管２１ａの下端の開口部２１ｈは、浴槽１６の噴流口Ｇ側を向くように、傾斜して形成されている。このように構成したので、内径の大きい流入管２１ｅから内径の小さい気泡混入管２１ｃにジェット噴流Ｊが流れる際に、このジェット噴流Ｊの水圧が増強され、この増強された水圧により、吸気管２１ａから吸気された空気が気泡Ｂとなってジェット噴流Ｊに混入され、好適な気泡混じりのジェット噴流ＢＪを得ることができ、この好適な気泡混じりのジェット噴流ＢＪが、噴流口Ｇから浴槽１６内に噴出される。
【００４０】
流入管２１ｅの一端は開口され、この開口部にはキャップ２１ｇが螺着されている。流入管２１ｅを掃除する際は、このキャップ２１ｇを取り外すと、容易に掃除できる。また、図１７で示した流路２２ａ、２２ｂ、２２ｃ、２２ｄはホースで形成されているが、これも、取り外しが容易で、掃除しやすいためである。
【００４１】
また、図１７に示すように、浴室壁Ｗ１の下部近傍に設置された循環ポンプＰは、下面に循環ポンプＰのポンプ及水口ＰＡが配設され、このポンプ及水口ＰＡの上方には、略水平方向に回転して湯水の吸水口Ａからの吸引と噴流口Ｇへの噴流を行う羽根車Ｓが配設され、この羽根車Ｓの上方には、羽根車Ｓを回転駆動するモータ部Ｍが配設され、羽根車Ｓの横方向浴室１７側にはポンプ噴流口ＰＧが配設されている。このように構成したことより、循環ポンプＰ運転停止中は、ポンプ吸水口ＰＡから不要な水が全て排水され、余分な湯水が循環ポンプＰ内に溜まらないので、非常に清潔である。
【００４２】
図１９は、一般に市販されている吸水口カバー１０２に、本発明の浮き具１０７と、浮き具１０７と浴槽壁Ｗ２との係止手段を形成した実施例である。図１９（ａ）はその正面から見た説明図、図１９（ｂ）は、その左側面から見た説明図である。図１９に示すように、一般に市販されている吸水口カバー１０２は、網目状の濾過具１０５ｂを前面に有し、浴槽壁Ｗ２にネジ１０９で取り付けられた円形の吸水口Ａ１に連結された吸水口受け具１０２ｂに覆設される。本発明においては、頭部に係止凸部１０６ｂが形成され、下部に水圧による押上げ斜面１０６ｃが形成され、湯よりも比重が小さい浮き具１０６を、対峙する一対のガイド板１０７ａからなり、吸水口受け具１０２ｂ上部に取り付けられた浮き具ガイド１０７内に挿設させ、吸水口カバー１０２の中央上部に、この係止凸部１０６ｂが係止される係止凹部１１０ａを設ける。吸水口受け具１０２ｂの上部には、この係止凸部１０６ｂが上下に通過可能な間隙が形成されている。
【００４３】
このように構成することにより、浴槽の水位の上昇に伴い、浮き具１０６が自身の浮力により上方に浮動し、係止凸部１０６ｂが係止凹部１１０ａに係止されることにより、吸水口カバー１０２は、吸水口Ａ１から離脱不能になる。また、循環ポンプ作動中は、吸水口Ａ１から吸引される水圧が、浮き具１０６下部の押上げ斜面１０６ｃに加わり、浮き具１０６全体が上方に押上げられ、係止凸部１０６ｂが係止凹部１１０ａに係止されることによっても、吸水口カバー１０２は、吸水口Ａ１から離脱不能になる。このため、入浴中に吸水口カバー１０２が吸水口Ａ１から離脱して、入浴者の頭髪や子供の入浴用玩具などが吸水口Ａ１に吸引される、というようなことが防止され、非常に安全である。
【００４４】
また、図１９（ｂ）に示すように、浮き具１０６中央部には抜け止めネジ係止凹部１０６ｄが形成され、吸水口受け具１０２ｂの上面から下方に延設された浮き具停止板１０７ｃの略中央部には浮き具抜け止めネジ１０７ｂが、浮き具停止板１０７ｃを貫通して螺着されている。浴槽の水位の下降に伴って浮き具１０６が下方に浮動した際に、浮き具１０６の抜け止めネジ係止凹部１０６ｄの上面が、浮き具抜け止めネジ１０７ｂに当接して係止され、浮き具１０６が浮き具ガイド１０７から下方に離脱することが防止できる。
【００４５】
図２０は、図１０、図１１で示した、枢軸受け具の他の実施例を示す説明図である。図２０に示すように、枢軸受け具９０は、図１０、図１１で示した枢軸受け具９の頭部上面にネジ部９ｃを取り付けて形成されたもので、軸受け口９ｂが上方に開口されている。これにより、吸水カバー２は、浴槽壁Ｗ２に略平行な状態で、浴槽壁Ｗ２略上下方向に着脱可能である。尚、この構成の際は、浴槽の水位が上昇して浮き具６が鉤部受け具１０に係止される前に、吸水口カバー２が上方に離脱する可能性があるため、これを防止するために、吸水口カバー２と浴槽壁Ｗ２とに上方向への離脱防止用ストッパー（図示しない）が設けられる。
【００４６】
次に、本発明に係るジェットバス装置１全体の作用と使用方法について説明する。図１６、図１７において、まず、湯水が排水された空の浴槽１６の浴槽壁Ｗ２に吸水口カバー２を枢設し、濾過吸水具５が浴槽壁Ｗ２に着接するように、吸水口カバー２を吸水口Ａに覆設する。この状態では、吸水口カバー２は、浴槽壁Ｗ２に対して近接又は離反する方向に回動自在であり、また、着脱可能である。次に、浴槽１６に湯水を注入し、浴槽１６内の水位の上昇に伴って、浮き具６が自身の浮力により上方に浮動する。水位が所定の水位以上になると、浮き具６に取り付けられた鉤部６ｂが、対向する浴槽壁Ｗ２に取り付けられた鉤部受け具１０に係止され、このため、吸水口カバー２は回動不能及び離脱不能になる。また、吸水口カバー２は、吸水口Ａの吸引力に応じてこの吸引力が所定値以下に低減される大きさに形成され、吸水口カバー２と浴槽壁Ｗ２との間隙が、人体が入り込むことが困難な濾過吸水具５の約１ｃｍの幅に形成されるため、入浴者の頭髪が吸水口Ａや濾過吸水具５に吸引されることがなく、非常に安全である。また、子供の入浴用玩具も吸引されにくく、安全である。
【００４７】
そして、浴室壁Ｗ１に取り付けられた循環ポンプ制御スイッチ１９を操作し、浴室１７外に設置された循環ポンプＰを駆動する。循環ポンプＰは、吸引側循環用の流路２２ｄを介して吸水口Ａから浴槽１６の湯水Ｈを吸引し、噴流側循環用の流路２２ｂにジェット噴流を噴出する。このジェット噴流は、切替え弁取り付け具１３を介して浴室壁Ｗ１に取り付けられた流路切替え弁１４によって、浴湯用と打たせ湯用のいずれか一方又は両方に選択的に噴出又は吐出される。この選択操作は、流路切り替え弁１４に装着された弁操作具１１に嵌合された操作レバー１２の、浴室１７内に設けられたレバー把持部１２ｃを回動することによって簡単に行われる。
【００４８】
浴湯用に選択されたジェット噴流は、噴流側循環用の流路２２ｃを経由し、気泡混入管２１によって気泡が混入され、好適な気泡混じりのジェット噴流となって、噴流口Ｇから浴槽内１６内に噴流される。また、打たせ湯用に選択されたジェット噴流は、打たせ湯用の流路２２ａを経由し、前後移動自在及び回動自在の吐出ノズル１８ａから吐出される。
【００４９】
尚、本実施例で使用されているステンレス鋼は、他の金属や合成樹脂などで代用しても良い。
【００５０】
【発明の効果】
以上説明したように、本発明に係るジェットバス装置によれば、入浴者の頭髪が吸水口に吸引されず、入浴中は、吸水口に覆設された吸水口カバーの離脱操作ができず、非常に安全であるという優れた効果を有する。また、浴室壁に安定に取り付けられ、浴湯用の流路と打たせ湯用の流路とにジェット噴流を分岐させる流路切替え弁を、浴室内から簡単に操作することができ、また、打たせ湯用の吐出ノズルの左右方向への回転及び前後方向への移動が簡単に設定できるというすぐれた効果を有する。さらに、最適な気泡混じりのジェット噴流が得られるという優れた効果を有し、加えて、循環ポンプ内に余分な湯水が溜まらず非常に清潔であるという優れた効果を有する。
【図面の簡単な説明】
【図１】図１は、本発明に係るジェットバス装置の吸水口覆設板の一実施例を示す正面図である。
【図２】図２は、図１の背面図である。
【図３】図３は、図１の平面図である。
【図４】図４は、図４の底面図である。
【図５】図５は、図１の右側面図である。
【図６】図６は、本発明に係るジェットバス装置の浮き具の一実施例を示す説明図である。
【図７】図７は、本発明に係るジェットバス装置の浮き具ガイドの一実施例を示す説明図である。
【図８】図８は、図６の浮き具及び図７の浮き具ガイドについての作用説明図である。
【図９】図９は、本発明に係るジェットバス装置の枢軸の説明図である。
【図１０】図１０は、本発明に係るジェットバス装置の枢軸受け具の一実施例を示す説明図である。
【図１１】図１１は、図５の吸水口カバーを浴槽壁に取り付ける際の操作説明図である。
【図１２】図１２は、本発明に係るジェットバス装置の弁操作具と操作レバーの一実施例を示す斜視図である。
【図１３】図１３は、図１２の操作レバーを用いた流路切替え弁の操作説明図である。
【図１４】図１４は、本発明に係るジェットバス装置の切替え弁取り付け具の一実施例を示す斜視図である。
【図１５】図１５は、図１４の切替え弁取り付け具を用いて流路切替え弁を浴室壁へ取り付ける方法の説明図である。
【図１６】図１６は、本発明に係るジェットバス装置の全体構成の一実施例を示す、正面から見た説明図である。
【図１７】図１７は、図１６を右側方から見た説明図である。
【図１８】図１８は、本発明に係るジェットバス装置の気泡混入管の一実施例を示す説明図である。
【図１９】図１９は、本発明に係るジェットバス装置の吸水口カバーと浴槽壁との係止手段の他の実施例を示す説明図である。
【図２０】図２０は、本発明に係るジェットバス装置の枢軸受け具の他の実施例を示す説明図である。
【符号の説明】
１                    ジェットバス装置
２、１０２            吸水口カバー
３                    吸水口覆設板
４                    噴流通過孔
５                    濾過吸水具
５ａ                  通水孔
５ｂ、１０５ｂ        濾過具
５ｃ                  鍔部
５ｄ                  通水孔形成用舌片
６、１０６            浮き具
６ａ                  空洞部
６ｂ                  鉤部
７、１０７            浮き具ガイド
７ａ、１０７ａ        ガイド板
７ｂ、１０７ｂ        浮き具抜け止めネジ
７ｃ                  ナット
７ｄ                  底板
８                    カバー枢軸
８ａ                  軸部
９、９０              枢軸受け具
９ａ                  枢軸受け凹部
９ｂ                  枢軸受け口
９ｃ                  ネジ部
１０                    鉤部受け具
１０ａ                  係止部
１０ｂ                  パッキン
１０ｃ、１２ｅ、１８ｄ  ネジ
１８ｅ、１０９          ネジ
１１                    弁操作具
１１ａ                  透孔
１１ｂ、１１ｃ          当接部
１１ｄ                  レバー支軸嵌合孔
１２                    操作レバー
１２ａ                  嵌合凸部
１２ｂ                  レバー支軸
１２ｃ                  レバー把持部
１２ｄ                  レバー支持台座
１２ｆ                  ピン孔
１２ｇ                  割りピン
１３                    切替え弁取り付け具
１３ａ                  切替え弁保持板
１３ｂ                  配管挿通孔
１３ｃ                  ネジ孔
１３ｄ                  固定用平板
１３ｅ                  レバー支軸挿通孔
１４                    流路切替え弁
１４ａ                  弁切替え操作部
１４ｂ                  回動停止突条
１５ａ、１５ｂ、１５ｃ  ホース接続管
１６                    浴槽
１７                    浴室
１８ａ                  吐出ノズル
１８ｂ                  外管
１８ｃ                  ノズル支持台座
１９                    循環ポンプ制御スイッチ
２１                    気泡混入管
２１ａ                  吸気管
２１ｂ                  吸気ホース
２１ｃ                  気泡噴流管
２１ｄ                  継手管
２１ｅ                  流入管
２１ｆ                  ネジ部
２１ｇ                  キャップ
２１ｈ                  開口部
２２ａ                  流路
２２ｂ、２２ｃ、２２ｄ  流路
１０２ｂ                吸水口受け具
１０６ｂ                係止凸部
１０６ｃ                押上げ斜面
１０６ｄ                抜け止めネジ係止凹部
１０７ｃ                浮き具停止板
１１０ａ                係止凹部
Ａ、Ａ１                吸水口
Ｂ                      気泡
ＢＪ                    気泡混じりのジェット噴流
Ｇ                      噴流口
Ｈ                      湯水
Ｊ                      ジェット噴流
Ｌ１、Ｌ２              水位
Ｍ                      モーター部
Ｐ                      循環ポンプ
ＰＧ                    ポンプ噴流口
ＰＡ                    ポンプ吸水口
Ｓ                      羽根車部
Ｗ１                    浴室壁
Ｗ２                    浴槽壁
【図１】
2004305399.tif 000003
【図２】
2004305399.tif 000004
【図３】
2004305399.tif 000005
【図４】
2004305399.tif 000006
【図５】
2004305399.tif 000007
【図６】
2004305399.tif 000008
【図７】
2004305399.tif 000009
【図８】
2004305399.tif 000010
【図９】
2004305399.tif 000011
【図１０】
2004305399.tif 000012
【図１１】
2004305399.tif 000013
【図１２】
2004305399.tif 000014
【図１３】
2004305399.tif 000015
【図１４】
2004305399.tif 000016
【図１５】
2004305399.tif 000017
【図１６】
2004305399.tif 000018
【図１７】
2004305399.tif 000019
【図１８】
2004305399.tif 000020
【図１９】
2004305399.tif 000021
【図２０】
2004305399.tif 000022